(57)【要約】【課題】地震などによりホールダウン金物に大きな荷重などが作用した場合でも、背板部と筒部とが分離し難くすることができるホールダウン金物を提供すること。【解決手段】ホールダウン金物１は、柱材３に固定される背板部１１と、一端が横架材２を介したアンカーボルト５が挿入されて締結ナット７により固定される筒部１２とを備え、背板部１１の中間部分には一対の起立側面部と浮き上り背板部とを設ける一方、筒部１２にはアンカーボルト軸挿入部と背板中間挿入部とを設け、背板部１１を筒部１２に挿入して、筒部１２の後側面部と両側面部の内側面が背板部１１の一対の起立側面部と浮き上り背板部の外側面に当接しており、少なくとも背板部１１の各起立側面部と筒部１２の背板中間挿入部とを溶接して筒部１２を背板部１１に接合した。【選択図】図１
2015151668.tif 000002
【特許請求の範囲】
【請求項１】
柱材に釘やネジ、ビス等の固定部材により固定されると共に、土台や梁等の横架材から延びるアンカーボルトに締結ナットを介し固定されて、横架材から柱材が抜けることを防止するホールダウン金物であって、
柱材に前記固定部材により固定される背板部と、
横架材から延びるアンカーボルトが挿入され、締結ナットにより締付け固定される筒部とを備え、
前記背板部は、柱材の長手方向の中間部分には、その両側を前方へ起立するように折り曲げることにより一対の起立側面部を設けてそれぞれの外側に凹部を形成すると共に、その一対の起立側面部に挟まれた部分が少なくとも前記筒部を構成する鋼材の厚さ以上前方へ浮き上るように突出した浮き上り背板部を設け、
前記筒部は、前側面部と両側の両側面部と後側面部とを有し、これらの側面部によりアンカーボルトの雄ネジ部の外径以上でかつ締結ナットの外径よりも小さい横幅を有するアンカーボルト軸挿入部と、前記背板部の中間部分の起立側面部と浮き上り背板部を通す背板中間挿入部とを形成し、
前記背板部を前記筒部の背板挿入部に挿入して、前記筒部の背板中間挿入部を形成する後側面部と両側面部の内側面が、前記背板部の起立側面部と浮き上り背板部の外側面に当接しており、少なくとも前記背板部の各起立側面部と前記筒部の背板中間挿入部とを溶接して前記筒部を前記背板部に接合したことを特徴とするホールダウン金物。
【請求項２】
請求項１記載のホールダウン金物において、
前記筒部のアンカーボルト軸挿入部と背板中間挿入部を合わせた横架材の長手方向の長さは、前記背板部の横幅よりも大きいことを特徴とするホールダウン金物。
【請求項３】
請求項１または請求項２記載のホールダウン金物において、
前記筒部の両側の両側面部は、それぞれ段付きにすることにより、前記背板中間挿入部の横幅を前記アンカーボルト軸挿入部の横幅よりも広く、前記浮き上り背板部の横幅とほぼ同じにし、かつ、前記背板中間挿入部の縦幅を前記浮き上り背板部から起立する前記起立側面部の高さとほぼ同じにしたことを特徴とするホールダウン金物。
【請求項４】
請求項１〜請求項３のいずれか一の請求項に記載のホールダウン金物において、
前記背板部の幅方向の中央には、背面側が縦方向に窪んだ溝部が延びる一方、正面側が縦方向に突出して延びる凸条部が形成されていることを特徴とするホールダウン金物。
【請求項５】
請求項４記載のホールダウン金物において、
前記筒部の後側面部における幅方向の中央には、縦方向に延びるスリットが設けられていることを特徴とするホールダウン金物。
【発明の詳細な説明】
【技術分野】
【０００１】
本発明は、柱材に釘やネジ、ビス等の固定部材により固定されると共に、土台や梁等の横架材から延びるアンカーボルトに締結ナットを介し固定されて、横架材から柱材が抜けることを防止するホールダウン金物に関する。
【背景技術】
【０００２】
土台や梁等の横架材から柱材が抜けることを防止するホールダウン金物として、例えば、柱材に固定部材により固定される背板部の表面側に、横架材から延びるアンカーボルトを挿入が筒部を溶接して接合したものを提案している（例えば、特許文献１参照。）。
【先行技術文献】
【特許文献】
【０００３】
【特許文献１】特開２０１２−７３２８号公報
【発明の概要】
【発明が解決しようとする課題】
【０００４】
しかし、上述の特許文献１のホールダウン金物は、背板部の表面側にアンカーボルトが挿入される筒部を溶接して接合した構造であるため、地震などによりホールダウン金物に大きな荷重などが作用した場合、背板部と筒部との接合部分が破損して背板部と筒部とが分離し、横架材から柱材が抜けるおそれがあった。
【０００５】
そこで、本発明はこのような問題点に着目してなされたもので、地震などによりホールダウン金物に大きな荷重などが作用した場合でも、背板部と筒部とが分離し難くすることができるホールダウン金物を提供することを目的とする。
【課題を解決するための手段】
【０００６】
前記課題を解決するため、本発明に係るホールダウン金物は、柱材に釘やネジ、ビス等の固定部材により固定されると共に、土台や梁等の横架材から延びるアンカーボルトに締結ナットを介し固定されて、横架材から柱材が抜けることを防止するホールダウン金物であって、柱材に前記固定部材により固定される背板部と、横架材から延びるアンカーボルトが挿入され、締結ナットにより締付け固定される筒部とを備え、前記背板部は、柱材の長手方向の中間部分には、その両側を前方へ起立するように折り曲げることにより一対の起立側面部を設けてそれぞれの外側に凹部を形成すると共に、その一対の起立側面部に挟まれた部分が少なくとも前記筒部を構成する鋼材の厚さ以上前方へ浮き上るように突出した浮き上り背板部を設け、前記筒部は、前側面部と両側の両側面部と後側面部とを有し、これらの側面部によりアンカーボルトの雄ネジ部の外径以上でかつ締結ナットの外径よりも小さい横幅を有するアンカーボルト軸挿入部と、前記背板部の中間部分の起立側面部と浮き上り背板部を通す背板中間挿入部とを形成し、前記背板部を前記筒部の背板挿入部に挿入して、前記筒部の背板中間挿入部を形成する後側面部と両側面部の内側面が、前記背板部の起立側面部と浮き上り背板部の外側面に当接しており、少なくとも前記背板部の各起立側面部と前記筒部の背板中間挿入部とを溶接して前記筒部を前記背板部に接合したことを特徴とすることを特徴とする。
ここで、前記筒部のアンカーボルト軸挿入部と背板中間挿入部を合わせた横架材の長手方向の長さは、前記背板部の横幅よりも大きいと良い。
また、前記筒部の両側の両側面部は、それぞれ段付きにすることにより、前記背板中間挿入部の横幅を前記アンカーボルト軸挿入部の横幅よりも広く、前記浮き上り背板部の横幅とほぼ同じにし、かつ、前記背板中間挿入部の縦幅を前記浮き上り背板部から起立する前記起立側面部の高さとほぼ同じにするとさらに良い。
また、前記背板部の幅方向の中央には、背面側が縦方向に窪んだ溝部が延びる一方、正面側が縦方向に突出して延びる凸条部が形成されているとさらに良い。
また、前記筒部の後側面部における幅方向の中央には、縦方向に延びるスリットが設けられているとさらに良い。
【発明の効果】
【０００７】
本発明に係るホールダウン金物では、背板部を筒部の背板挿入部に挿入して、筒部の背板中間挿入部を形成する後側面部と両側面部の内側面が、背板部の起立側面部と浮き上り背板部の外側面に当接しており、少なくとも背板部の各起立側面部と筒部の両側面部とを溶接して筒部を背板部に接合したため、背板部の背面側にまで筒部を回り込ませた状態で溶接等により接合できる。
その結果、本発明に係るホールダウン金物が変形する際は、従来よりも筒部と背板部が一体化した状態で変形することになり、金物自体の粘りを増加できると共に、筒部と背板部との間の溶接距離を長く確保することができ、地震などによりホールダウン金物に大きな荷重などが作用した場合でも、背板部と筒部とが分離し難くすることができる。
【図面の簡単な説明】
【０００８】
【図１】本発明に係る実施形態のホールダウン金物の使用状態を示す正面図である。
【図２】本発明に係る実施形態のホールダウン金物の使用状態を示す平面図である。
【図３】本発明に係る実施形態のホールダウン金物の正面図である。
【図４】本発明に係る実施形態のホールダウン金物の左側面図である。
【図５】本発明に係る実施形態のホールダウン金物の背面図である。
【図６】（ａ），（ｂ）それぞれ本発明に係る実施形態のホールダウン金物の平面図、底面図である。
【図７】（ａ），（ｂ）それぞれ図３におけるＡ−Ａ線断面図、Ｂ−Ｂ線端面図である。
【図８】（ａ）〜（ｄ）それぞれ本発明に係る実施形態のホールダウン金物を構成する背板部の正面図、左側面図、背面図、底面図である。
【図９】（ａ）〜（ｃ）それぞれ本発明に係る実施形態のホールダウン金物を構成する筒部の正面図、左側面図、平面図である。
【図１０】柱材に横架材から抜ける方向に過大な力が作用して本実施形態のホールダウン金物が変形した状態を示す正面図である。
【発明を実施するための形態】
【０００９】
以下、本発明に係るホールダウン金物の実施の形態を、添付図面を参照しながら詳細に説明する。なお、下記に説明する実施形態は、あくまで本発明の一例で、本発明は下記の実施形態に限定されるものではなく、本発明の技術思想の範囲内で適宜変更可能である。
【００１０】
図１および図２に示すように、このホールダウン金物１は、柱材３に釘やネジ、ビス等の固定部材４により固定されると共に、土台や梁等の横架材２から延びるアンカーボルト５に座金６および締結ナット７を介し固定されて、横架材２から柱材３が抜けることを防止するための補強金物で、図１〜図７に示すように背板部１１と、筒部１２とを備えている。
【００１１】
背板部１１は、図８（ａ）等に示すように長尺でかつ横幅がｈ１の細幅で、図１や図2に示すように柱材３に釘やネジ、ビス等の固定部材４が挿入されて固定されるもので、柱材３の長手方向に長尺であって、図３や図５、図８等に示すようにその上部側に５つの小孔１１ａが形成されている。
【００１２】
背板部１１の上下方向の中央よりやや下方の中間部分には、図３や図５、図８等に示すように、その両側を前方へ起立するように折り曲げることによりその両側に対向する一対の起立側面部１１ｂ，１１ｂを形成して、その一対の起立側面部１１ｂ，１１ｂの両側には凹部１１ｃ，１１ｃを設ける。
【００１３】
そのため、図８（ａ）等に示すように、背板部１１における一対の対向する起立側面部１１ｂ，１１ｂに挟まれた部分の横幅ｗ２は、凹部１１ｃ，１１ｃの分だけ、背板部１１の横幅ｗ１よりも幅が狭くなる。
【００１４】
また、その背板部１１における一対の対向する起立側面部１１ｂ，１１ｂに挟まれた部分には、図８（ｂ）等に示すように、少なくとも筒部１２を構成する鋼材の厚さまたはそれ以上、前側へ浮き上がるように当該背板部１１を前方へ突出させた浮き上り背板部１１ｄを設ける。
【００１５】
そのため、この浮き上り背板部１１ｄの背面側に筒部１２の後側面部１２ｃを回したとしても、背板部１１を柱材３に固定する際に、筒部１２の後側面部１２ｃの厚さが障害になることを防止できる。
【００１６】
また、背板部１１の幅方向の中央には、背面側（裏側）から正面側（表側）に押圧することにより図８（ｃ）等に示すように背面側が縦方向（上下方向）に窪んだ溝部１１ｆが延びる一方、図８（ａ）等に示すように正面側が縦方向（上下方向）に突出して延びる凸条部１１ｅを形成している。なお、本発明では、背板部１１に溝部１１ｆおよび凸条部１１ｅを設けることは、必須でなく省略しても良い。
【００１７】
筒部１２は、図１や図２等に示すように一端が横架材２を介したアンカーボルト５の雄ネジ部５ａが挿入されて座金６を介して締結ナット７により固定されるものである。
【００１８】
筒部１２は、図９（ａ）〜（ｃ）等に示すように前側面部１２ａと、両側の段付きの両側面部１２ｂ，１２ｂと、後側面部１２ｃとを有する。筒部１２は、これらの側面部１２ａ、１２ｂ，１２ｂ、１２ｃにより、アンカーボルト５の雄ネジ部５ａの外径以上で、かつ、座金６および締結ナット７の外径よりも小さい横幅ｗ３を有するアンカーボルト軸挿入部１２ｄと、背板部１１の上下方向の中央よりやや下方の起立側面部１１ｂ，１１ｂと浮き上り背板部１１ｄを通す横幅ｗ４を有する背板中間挿入部１２ｅとを設けている。
【００１９】
ここで、背板中間挿入部１２ｅは、背板部１１の中間部分の起立側面部１１ｂ，１１ｂと浮き上り背板部１１ｄの外側面が図６（ａ），（ｂ）や図７（ｂ）等に示すように、筒部１２の背板中間挿入部１２ｅを形成する両側面部１２ｂ，１２ｂおよび後側面部１２ｃの内側面に当接するような大きさや長さに形成されている。
【００２０】
つまり、背板中間挿入部１２ｅの横幅ｗ４（図９（ｃ）参照。）は、浮き上り背板部１１ｄの横幅Ｗ２(図８（ａ）参照。)とほぼ同じで、かつ、背板中間挿入部１２ｅの縦幅ｗ５（図９（ｃ）参照。）は，浮き上り背板部１１ｄから起立する起立側面部１１ｂ，１１ｂの高さｈ１(図８（ｂ）参照。)とほぼ同じにしている。
【００２１】
そのため、背板部１１と筒部１２を接合するため、背板部１１の浮き上り背板部１１ｄを、筒部１２の背板中間挿入部１２ｅを挿入すると、背板部１１の一対の起立側面部１１ｂ，１１ｂと浮き上り背板部１１ｄの外側面が筒部１２の背板中間挿入部１２ｅの内側面にほぼ当接することになる。その結果、後述するように背板部１１と筒部１２とを溶接した際に確実に溶接することが可能となり、背板部１１と筒部１２の接合強度が向上して、ホールダウン金物１全体の強度が向上する。
【００２２】
そして、筒部１２の背板中間挿入部１２ｅの縦幅ｗ５（図９（ｃ）参照。）と、アンカーボルト軸挿入部１２ｄの縦幅ｗ６（図９（ｃ）参照。）とを合わせた横架材２の長手方向の幅は、背板部１１の横幅Ｗ１（図８（ａ）参照。）よりも大きくしている。
【００２３】
そのため、背板部１１に筒部１２を接合する際、筒部１２のアンカーボルト軸挿入部１２ｄと背板中間挿入部１２ｅに背板部１１を通してから９０度回転させれば良いので、背板部１１と筒部１２とを接合する際、簡単に組み付けることができる。
【００２４】
また、この筒部１２では、その背面側の後側面部１２ｃの幅方向の中央には、図９（ｂ）等に示すように、縦方向（上下方向）に延びるスリット１２ｃ１を設けている。ただし、本発明では、なお、本発明では、筒部１２にスリット１２ｃ１を設けることは、必須でなく、省略しても良い。
【００２５】
そのため、背板部１１に筒部１２を接合する際に、筒部１２のアンカーボルト軸挿入部１２ｄと背板中間挿入部１２ｅに背板部１１を通してから９０度回転させるが、背板部１１の幅方向の中央の凸条部１１ｅ裏側の縦方向に延びる溝部１１ｆと、筒部１２のスリット１２ｃ１とを目視などで合わせると、背板部１１と筒部１２とを容易に９０度回転させる際に中心同士を合わせることが可能になり、背板部１１の浮き上り背板部１１ｄを筒部１２の背板中間挿入部１２ｅに簡単に９０度の角度で嵌めることができる。
【００２６】
また、背板部１１に筒部１２を接合する際、筒部１２のアンカーボルト軸挿入部１２ｄと背板中間挿入部１２ｅに背板部１１を通してから９０度回転させるが、背板中間挿入部１２ｅの横幅ｗ４（図９（ｃ）参照。）を浮き上り背板部１１ｄの横幅Ｗ２（図８（ａ）参照。）とほぼ同じにしているため、起立側面部１１ｂ，１１ｂの先端部や後端部が，背板中間挿入部１２ｅの横幅ｗ４よりも幅が狭い筒部１２のアンカーボルト軸挿入部１２ｄの内側面に当接して回転させ難い場合がある。
【００２７】
しかし、筒部１２の後側面部１２ｃにおける幅方向の中央には、縦方向に延びるスリット１２ｃ１が設けられているため、起立側面部１１ｂ，１１ｂの先端部や後端部が筒部１２のアンカーボルト軸挿入部１２ｄや背板中間挿入部１２ｅの内側面に当接した場合でも、スリット１２ｃ１が広がって背板部１１の回転を補助することができる。そのため、この点でも背板部１１と筒部１２とを容易に９０度回転させて、背板部１１の浮き上り背板部１１ｄを筒部１２の背板中間挿入部１２ｅに嵌めることができる。
【００２８】
背板部１１と筒部１２とを９０度回転させて、背板部１１の浮き上り背板部１１ｄを筒部１２の背板中間挿入部１２ｅに嵌めた後、背板部１１と筒部１２とを溶接して接合するが、その際、背板部１１の一対の起立側面部１１ｂ，１１ｂの外側面と背板中間挿入部１２ｅの両側面部１２ｂ，１２ｂの両端面、および背板部１１の一対の起立側面部１１ｂ，１１ｂの内側面の上下方向の例えば約１０ｍｍ程（図７（ａ）参照。）と浮き上り背板部１１ｄの表面側の対応する箇所を溶接して、背板部１１に筒部１２を接合している。なお、図１〜図７（ａ）等において網掛け部分が溶接部分である。
【００２９】
以上のように構成したホールダウン金物１を、図１や図２に示すように柱材３に釘やネジ、ビス等の固定部材４により固定すると共に、土台や梁等の横架材２から延びるアンカーボルト５のネジ部５ａを筒部１２に通して座金６を介して締結ナット７により締付けた状態において、筒部１２の後側面部１２ｃが背板部１１の起立側面部１１ｂ，１１ｂを折り曲げることによって幅が狭くなった浮き上り背板部１１ｄの背面側まで回り込んだ状態で溶接等されて接合しているため、背板部１１と筒部１２とが分離し難くすることができる。
【００３０】
その結果、本実施形態のホールダウン金物１では、例えば、地震等により図１０に示すように柱材３にα方向に過大な外力が作用した場合でも、背板部１１と筒部１２との間の接合箇所では、背板部１１が柱材３とアンカーボルト５に固定された筒部１２との間で引っ張られることにより、背板部１１から筒部１２が分離することなく、従来よりも背板部１１と筒部１２とが接合したまま一体化した状態で伸びたり変形することになる。そのため、本実施形態のホールダウン金物１では、地震等により柱材３にα方向に過大な外力が作用した際に背板部１１と筒部１２が分離せず一体化した状態で背板部１１が伸びたり変形することにより、従来技術の場合よりも横架材２から柱材３が抜けることを防止することができる。
【００３１】
また、地震等により柱材３にα方向に過大な外力が作用して背板部１１と筒部１２とが接合したまま背板部１１が伸びたり変形した際に、背板部１１に対し柱材３が上方にずれると共に、背板部１１の下端側が図１０上、左側である柱材３の方向に向かって変形して、背板部１１の下端部が柱材３に食い込むことになる。そのため、この点でも、従来技術の場合より横架材２から柱材３が抜けることを防止することができる。
【００３２】
また、本実施形態のホールダウン金物１では、筒部１２の背板中間挿入部１２ｅを形成する後側面部１２ｃと両側面部１２ｂ，１２ｂの内側面が背板部１１の一対の起立側面部１１ｂ，１１ｂと浮き上り背板部１１ｄの外側面に当接して囲った状態で溶接等により接合しているため、筒部１２と背板部１１の一対の起立側面部１１ｂ，１１ｂと浮き上り背板部１１ｄの外側面と筒部１２との間で溶接距離を長く確保でき、背板部１１と筒部１２との接合強度を向上させることが可能になり、この点でも従来技術の場合よりも横架材２から柱材３が抜けることを防止することができる。
【００３３】
ただし、本実施形態では、図３〜図７（ａ）に示すように、背板部１１の一対の起立側面部１１ｂ，１１ｂの外側面と背板中間挿入部１２ｅの両側面部１２ｂ，１２ｂの両端面、および背板部１１の一対の起立側面部１１ｂ，１１ｂの内側面の例えば約１０ｍｍ程まで（図７（ａ）参照。）と浮き上り背板部１１ｄの表面側の対応する箇所を溶接し、浮き上り背板部１１ｄの背面側と筒部１２の後側面部１２ｃとを溶接していないが、浮き上り背板部１１ｄの背面側と筒部１２の後側面部１２ｃとを溶接すれば、さらに背板部１１と筒部１２との接合強度を向上させることができる。
【００３４】
また、本実施形態のホールダウン金物１では、筒部１２の背板中間挿入部１２ｅの縦幅ｗ５とアンカーボルト軸挿入部１２ｄの縦幅ｗ６とを合わせた横架材２の長手方向の長さは、背板部１１の横幅ｗ１（図８（ａ）参照。）よりも大きい。そのため、背板部１１に筒部１２を接合する際、筒部１２のアンカーボルト軸挿入部１２ｄと背板中間挿入部１２ｅに背板部１１を通してから９０度回転させることにより、背板部１１と筒部１２とを簡単に組み付けて接合することができる。
【００３５】
また、本実施形態のホールダウン金物１では、筒部１２における背板中間挿入部１２ｅの横幅ｗ４（図９（ｃ）参照。）は、アンカーボルト軸挿入部１２ｄの横幅ｗ３よりも広く、かつ、浮き上り背板部１１ｄの横幅ｗ２（図８（ａ）参照。）とほぼ同じにしたため、筒部１２のアンカーボルト軸挿入部１２ｄと背板中間挿入部１２ｅに背板部１１を通してから９０度回転させた際に背板部１１の浮き上り背板部１１ｄは、アンカーボルト軸挿入部１２ｄでは９０度まで回転せず、背板中間挿入部１２ｅのところで９０度回転可能になるので、背板部１１の浮き上り背板部１１ｄは背板中間挿入部１２ｅに収まり易くなり、この点でも背板部１１と筒部１２とを背板中間挿入部１２ｅで簡単に組み付けて接合することができる。
【００３６】
また、本実施形態のホールダウン金物１では、背板部１１の幅方向の中央には、縦方向に延びる背面側が窪んだ溝部１１ｆを設ける一方、その正面側が縦方向に突出して延びる凸条部１１ｅを設けたため、ホールダウン金物１全体の剛性が向上せることができると共に、筒部１２の後側面部１２ｃにおける幅方向の中央に縦方向に延びるスリット１２ｃ１を設けたため、背板部１１の溝部１１ｆとスリット１２ｃ１とを位置合わせするだけで、簡単かつ正確に背板部１１と筒部１２とを組み付けることができる。
【００３７】
また、本実施形態のホールダウン金物１では、筒部１２の後側面部１２ｃにおける幅方向の中央の縦方向に延びるスリット１２ｃ１を設けているため、必要あればそのスリット１２ｃ１と背板部１１の溝部１１ｆとの間を溶接することによりさらに溶接距離を長くして板部１１と筒部１２との接合強度を向上させることができる。
【００３８】
また、筒部１２の後側面部１２ｃにスリット１２ｃ１を設けたことにより、筒部１２のアンカーボルト軸挿入部１２ｄと背板中間挿入部１２ｅに背板部１１を通してから９０度回転させた際に、起立側面部１１ｂ，１１ｂの先端部や後端部が筒部１２の背板中間挿入部１２ｅやアンカーボルト軸挿入部１２ｄの内側面に当接した場合でも、スリット１２ｃ１が広がって背板部１１の回転を補助するため、この点でも背板部１１と筒部１２とを容易に９０度回転させて、背板部１１の浮き上り背板部１１ｄを筒部１２の背板中間挿入部１２ｅに嵌めて接合することができる。
【符号の説明】
【００３９】
１  ホールダウン金物
１１  背板部
１１ａ  小孔
１１ｂ  起立側面部
１１ｃ  凹部
１１ｄ  浮き上り背板部
１１ｅ  凸条部
１１ｆ  溝部１１ｆ
１２  筒部
１２ａ  前側面部
１２ｂ  両側面部
１２ｃ  後側面部
１２ｃ１  スリット
１２ｄ  アンカーボルト軸挿入部
１２ｅ  背板中間挿入部
２  横架材
３  柱材
４  固定部材
５  アンカーボルト
６  座金
７  締結ナット
【図１】
2015151668.tif 000003
【図２】
2015151668.tif 000004
【図３】
2015151668.tif 000005
【図４】
2015151668.tif 000006
【図５】
2015151668.tif 000007
【図６】
2015151668.tif 000008
【図７】
2015151668.tif 000009
【図８】
2015151668.tif 000010
【図９】
2015151668.tif 000011
【図１０】
2015151668.tif 000012